(57)【要約】      （修正有）【課題】「山手線」などの通勤電車の車内に設置されている電気制御式の車内モニターに着目して考案したものであり、この種のディスプレイを適用することによって消費者の注目度を飛躍的に向上させることができる陳列台の仕切り板を提供する。【解決手段】陳列台１０上の商品間を仕切るために陳列台１０上に配置される仕切り板２０であって、陳列台１０の前面で上下方向に伸びる前縁２４および陳列台１０の奥行き方向に沿って配置される仕切り面２３を有する仕切り部２１を備え、仕切り部２１の前縁２４にモニター収容ケース４０を接続させてモニター収容ケース４０が陳列台１０よりも前方に突き出るようにし、かつ、モニター収容ケース４０に電気制御式の告知面６１を有する販促モニター６０を収容している。【選択図】図１
0003216025.tif 000002
【実用新案登録請求の範囲】
【請求項１】
陳列台上の商品間を仕切るために前記陳列台上に配置される仕切り板であって、前記陳列台の前面で上下方向に伸びる前縁および前記陳列台の奥行き方向に沿って配置される仕切り面を有する仕切り部を備え、該仕切り部の前縁にモニター収容ケースを接続させて該モニター収容ケースが前記陳列台よりも前方に突き出るようにし、かつ、前記モニター収容ケースに電気制御式の告知面を有する販促モニターを収容していることを特徴とする陳列台の仕切り板。
【請求項２】
前記仕切り部が基板部と、該基板部上に立設された仕切り面より構成され、かつ、前記基板部に設けた磁石によって前記仕切り部を前記陳列台上に固定させるようにしたことを特徴とする請求項１に記載の陳列台の仕切り板。
【請求項３】
前記モニター収容ケースが有底筒形を成し、その筒形の部分が前後両縁と該前後両縁に接続する二つの側板より構成され、かつ、前記二つの側板のそれぞれに、前記販促モニターの電気制御式の告知面に対向する開口部、前記販促モニターのスピーカーに対向する開口部および前記販促モニターのスイッチに対向する開口部を設けたことを特徴とする請求項１に記載の陳列台の仕切り板。
【請求項４】
前記モニター収容ケースを構成する二つの側板のうち、いずれか一方の側板の上縁に前記販促モニターの脱落を防止する脱落防止片を設けたことを特徴とする請求項３に記載の陳列台の仕切り板。
【請求項５】
前記モニター収容ケースを構成する二つの側板を前記モニター収容ケースの後縁よりも後方に張り出させ、該張出し部の下方部分を前記モニター収容ケースの底面より所定の高さの箇所で切除し、その切断面に前記モニター収容ケースを位置決めするストッパーの役目を持たせることを特徴とする請求項１、３または４に記載の陳列台の仕切り板。
【請求項６】
前記販促モニターの電気制御式の告知面に動画あるいは静止画を表示させることを特徴とする請求項１または３に記載の陳列台の仕切り板。
【請求項７】
前記モニター収容ケースに収容した販促モニターの電気制御式の告知面に湾曲可能な薄形の有機エレクトロニクスを適用することを特徴とする請求項１、３または６に記載の陳列台の仕切り板。
【請求項８】
前記モニター収容ケースの後縁が連結部を介して前記仕切り部の前縁に接続されていることを特徴とする請求項１に記載の陳列台の仕切り板。
【考案の詳細な説明】
【技術分野】
【０００１】
本考案は、商品の陳列台に設置して使用する陳列台の仕切り板に関する。
【背景技術】
【０００２】
一般に、スーパーマーケットのような商店の陳列台には、価格や種類の異なる多数の商品が並べられている。これらの価格や種類の異なる多数の商品を整然と配置するために、陳列台に仕切り板を設置している。この陳列台上を区画する仕切り板を利用して、それぞれの区画領域に配置された商品の情報を表示するためのポップカードを保持することが広く行われている。
【０００３】
この種の仕切り板としては、陳列台に沿って配置される平板状の基板部と、この基板部から直角に立ち上がる格子状の仕切り部とをＬ字形に結合させた仕切り板が知られている。この仕切り部は、その前後両端のうち、一方の仕切り部が陳列台の前面に位置するように配置され、この一方の仕切り部に厚紙で形成されたポップカードが保持されている。更に、上記のポップカードの両面には、商品の名称、価格あるいは特徴など、消費者が必要とする商品についての情報が、例えば、印刷によって記載されている（例えば、特許文献１参照）。
しかしながら、厚紙などを利用したポップカードの両面に商品の名称、価格あるいは特徴などが印刷されているポップカードは、日常的に見慣れているから極めて斬新な形状や模様、あるいは、キャッチフレーズが記載されていないと消費者に注目され難い。また、従来の仕切り板は、基板部を陳列台と商品の間に差し込んで商品の重量を利用して起立させているために商品の増減によって安定性が左右される。
【先行技術文献】
【特許文献】
【０００４】
【特許文献１】実用新案登録第３１２１５３０号公報
【考案の概要】
【考案が解決しようとする課題】
【０００５】
本考案の目的は、「山手線」などの通勤電車の車内に設置されている電気制御式の車内モニターに着目して考案したものであり、この種のモニターを適用することによって消費者の注目度を飛躍的に向上させることができる仕切り板を提供することにある。
【０００６】
また、本考案の他の目的は、磁石を利用して陳列台上に仕切り板を固定することによって安定性の高い仕切り板を提供することにある。
【課題を解決するための手段】
【０００７】
本考案は、陳列台上の商品間を仕切るために前記陳列台上に配置される仕切り板であって、前記陳列台の前面で上下方向に伸びる前縁および前記陳列台の奥行き方向に沿って配置される仕切り面を有する仕切り部を備え、該仕切り部の前縁にモニター収容ケースを接続させて該モニター収容ケースが前記陳列台よりも前方に突き出るようにし、かつ、前記モニター収容ケースに電気制御式の告知面を有する販促モニターを収容していることを特徴とする。
【０００８】
本考案の前記仕切り板は、前記仕切り部が基板部と、該基板部上に立設された仕切り面より構成され、かつ、前記基板部に設けた磁石によって前記仕切り部を前記陳列台上に固定させるようにしたことを特徴とする。
【０００９】
本考案の前記仕切り板は、前記モニター収容ケースが有底筒形を成し、その筒形の部分が前後両縁と該前後両縁に接続する二つの側板より構成され、かつ、前記二つの側板のそれぞれに、前記販促モニターの電気制御式の告知面に対向する開口部、前記販促モニターのスピーカーに対向する開口部および前記販促モニターのスイッチに対向する開口部を設けたことを特徴とする。
【００１０】
本考案の前記仕切り板は、前記モニター収容ケースを構成する二つの側板のうち、いずれか一方の側板の上縁に前記販促モニターの脱落を防止する脱落防止片を設けたことを特徴とする。
【００１１】
本考案の前記仕切り板は、前記モニター収容ケースを構成する二つの側板を前記モニター収容ケースの後縁よりも後方に張り出させ、該張出し部の下方部分を前記モニター収容ケースの底面より所定の高さの箇所で切除し、その切断面に前記モニター収容ケースを位置決めするストッパーの役目を持たせることを特徴とする。
【００１２】
本考案は、前記販促モニターの電気制御式の告知面に動画あるいは静止画を表示させることを特徴とする。
【００１３】
本考案は、前記モニター収容ケースに収容した販促モニターの電気制御式の告知面に湾曲可能な薄形の有機エレクトロニクスを適用することを特徴とする。
【００１４】
本考案は、前記モニター収容ケースの後縁が連結部を介して前記仕切り部の前縁に接続されていることを特徴とする。
【考案の効果】
【００１５】
上記のように、本考案は、仕切り部の前縁にモニター収容ケースを接続させて該モニター収容ケースが陳列台よりも前方に突き出るようにし、かつ、前記モニター収容ケースに電気制御式の告知面を有する販促モニターを収容させたために消費者の注目度を飛躍的に向上させることが可能になる。
【００１６】
本考案は、前記仕切り部が基板部と、該基板部上に立設された仕切り面より構成され、かつ、前記基板部に磁石を設けたため、前記仕切り部の転倒を防止することができる。
【００１７】
本考案は、前記モニター収容ケースが有底筒形を成し、その筒形の部分が前後両縁と該前後両縁に接続する二つの側板より構成され、かつ、前記二つの側板のそれぞれに、前記販促モニターの電気制御式の告知面に対向する開口部、前記販促モニターのスピーカーに対向する開口部および前記販促モニターのスイッチに対向する開口部を設けたために、前記販促モニターを前記モニター収容ケースの左右の任意の方向に向けることができる。
【００１８】
本考案は、前記モニター収容ケースを構成する二つの側板のうち、いずれか一方の側板の上縁に設けた脱落防止片によって前記販促モニターの脱落を防止することが可能になる。
【００１９】
本考案は、前記モニター収容ケースを構成する二つの側板を前記モニター収容ケースの後縁よりも後方に張り出させ、該張出し部の下方部分を前記モニター収容ケースの底面より所定の高さの箇所で切除し、その切断面に前記モニター収容ケースを位置決めするストッパーの役目を持たせたために、前記モニター収容ケースを構成する二つの側板を利用して前記モニター収容ケースの位置決めを容易に行うことが可能になる。
【００２０】
本考案は、前記販促モニターの電気制御式の告知面に動画あるいは静止画を表示させることが可能であるが、動画の場合は、多くの情報を表示させることが可能になる。
【００２１】
本考案は、前記モニター収容ケースに収容した販促モニターの電気制御式の告知面に湾曲可能な薄形の有機エレクトロニクスを適用することによって消費者の注目度を高めることが可能になる。
【図面の簡単な説明】
【００２２】
【図１】本考案に係る仕切り板の斜視図（紙面の都合で一部切欠いた部分を有する）である。
【図２】本考案に係る仕切り部の前縁部分の拡大平面図である。
【図３】本考案に係るモニター収容ケースの後縁部分の拡大平面図である。
【考案を実施するための形態】
【００２３】
図１に示すように、本考案の仕切り板２０は、スーパーマーケットのような商店の陳列台１０の上に配置されており、陳列台１０の上に並べられている価格や種類の異なる多数の商品（図示せず）を区分けする役目を担っている。
【００２４】
前記仕切り板２０は、前記陳列台１０の奥行き方向に沿って前記陳列台１０の上に配置される仕切り部２１と、該仕切り部２１の前縁２４に接続されて前記陳列台１０よりも前方に位置するモニター収容ケース４０および前記モニター収容ケース４０に収容されている販促モニター６０より構成されている。
【００２５】
前記仕切り部２１は、長方形の基板部２２と、該基板部２２の上に立設させた仕切り面２３より構成されている。前記仕切り面２３は、上方から見ると、前後に細長い偏平状の長方形をし、前後両縁２４，２５と、該前後両縁２４，２５の側面に接続されている二つの側板２６，２７および前後両縁２４，２５よりも内側に配置されている二つの補強板２８，２９より構成されている。
【００２６】
前記側板２６，２７は、先端突出部２６ａ，２７ａが仕切り部２１の前縁２４の上下方向の全長にわたって内側に屈曲され、雄形の連結部３０を構成している。この連結部３０は、図２に示すように、先端に向かうほど二つの先端突出部２６ａ，２７ａの間隔が狭くなっている。また、前記仕切り部２１は、前記基板部２２の下面に磁石３１を設け、陳列台１０上に固着できるようになっている。前記基板部２２および仕切り面２３は、合成樹脂によって一体的に成形されている。
【００２７】
前記モニター収容ケース４０は、有底筒状を成し、上方から見ると、筒状の部分が前後に細長い偏平状の長方形をしている。該モニター収容ケース４０は、前後両縁４１，４２と、該前後両縁４１，４２の側面に接続している二つの側板４３，４４、底板４５および二つの側板４３，４４のいずれか一方の上端に設けられている脱落防止片４６より構成されている。これらは、合成樹脂を用いて一体的に成形されている。
【００２８】
前記モニター収容ケース４０は、その後縁４２に前記雄形連結部３０に連結する雌形の連結部４７を設けている。この雌形の連結部４７は、図３に示すように、前記雄形連結部３０を構成している二つの先端突出部２６ａ，２７ａと係合するスリット状の二つの縦溝４８，４９より構成されている。この二つの縦溝４８，４９は、その間隔がモニター収容ケース４０の前縁４１に向かうほど狭くなっている。また、これらの縦溝４８，４９は、前記モニター収容ケース４０の上下方向の全長にわたって設けられている。
【００２９】
前記モニター収容ケース４０の二つの側板４３，４４は、前記モニター収容ケース４０の後縁４２よりも後方に張り出している張出し部４３ａ，４４ａを有している。この張出し部４３ａ，４４ａの下方部分は、前記モニター収容ケース４０の底面より所定の高さｈの箇所で切除され、その切断面５３が前記モニター収容ケース４０の位置決めを行うストッパーの役目を担っている。前記張出し部４３ａ，４４ａの内側面の間隔は、前記仕切り部２１の仕切り面２３の外側面に密接する程度が望ましい。
【００３０】
したがって、前記モニター収容ケース４０の雌形の連結部４７を前記仕切り部２０の雄形の連結部３０に一致させて前記モニター収容ケース４０を下方に引き下げると、前記モニター収容ケース４０の張出し部４３ａ，４４ａが前記仕切り部２１の基板部２２に突き当たってモニター収容ケース４０が位置決めされる。
【００３１】
前記モニター収容ケース４０は、二つの側板４３，４４に前記販促モニター６０の電気制御式の告知面（ディスプレイ面）６１に対向する長方形の開口部５４を有し、前記販促モニター６０のスピーカー（図示せず）に対向する円形の複数の開口部５５を有し、更に前記販促モニター６０のスイッチ（図示せず）に対向する円形の複数の開口部５６を有している。
【００３２】
したがって、前記販促モニター６０は、前記モニター収容ケース４０のいずれの面に向けても収容しても支障なく使用することが可能となる。
【００３３】
前記電気制御式の告知面６１には、商品の名称、価格あるいは特徴など、消費者が必要とする商品についての情報が表示される。また、前記販促モニター６０の告知面６１には、湾曲可能な薄形の有機ＥＬ（有機エレクトロニクス）を適用することもできる。更に、販促モニター６０は、電気制御式の告知面（電気制御式のディスプレイ）６１に動画あるいは静止画を表示させることができる。動画は、静止画よりも多くの情報を提供することができる。
【符号の説明】
【００３４】
１０  陳列台
２０  仕切り板
２１  仕切り部
２３  仕切り面
２４  前縁
４０  モニター収容ケース
６０  販促モニター
６１  電気制御式の告知面
【図１】
0003216025.tif 000003
【図２】
0003216025.tif 000004
【図３】
0003216025.tif 000005